【手続補正書】
【提出日】平成16年5月13日(2004.5.13)
【手続補正１】
【補正対象書類名】特許請求の範囲
【補正対象項目名】全文
【補正方法】変更
【補正の内容】
【特許請求の範囲】
【請求項１】
後端が開口し、前端に排管（cannula）（３０）を接続した、誘導手段（１１）を有した中空円筒体（１０）と、
上部にフラップ（２１）およびプッシャー（２７）を備え、連結部（２５）に備えられたプラスチック管（２４）を後端に備えた、その長さの全長に渡って穿孔した中空のピストン棒（２０）と、
上部、前部、後部が開口し、かつ、半円部分を長さの略全長に渡って有した針（５０）がその前端と接続した、誘導手段（４１）を有した筐体（４０）とを備え、
該ピストン棒（２０）が該円筒体（１０）内部に挿入され、該円筒体（１０）が誘導手段（１１，４１）によって該筐体（４０）と咬合し、該排管（３０）が該針（５０）内に挿入されることにより、上記の３つの独立した構成要素が組み立てられる
針（５０）を有する筐体（４０）と、排管（３０）を備えた円筒体（１０）とを備えたカテーテル。
【請求項２】
円筒体（１０）の壁が挿入できるようにピストン棒（２０）の湾曲した上面とプッシャー（２７）の下側との間に窪み（cavity）または空間（empty space）を残して、ピストン棒（２０）の端にその後部が接続するプッシャー（２７）の前端に、該プッシャー（２７）に対して垂直なフラップ（２１）を備え、
ピストン棒（２０）は、プッシャー（２７）およびフラップ（２１）が円筒体（１０）の外側に位置するように、円筒体（１０）の内部に格納されることを特徴とする請求項１に記載のカテーテル。
【請求項３】
ピストン棒（２０）の前部に、円筒体（１０）に対して完全な（hermetically）密閉状態を提供するための穿孔された（２３）ゴム栓（２２）が設けられていることを特徴とする請求項１に記載のカテーテル。
【請求項４】
フラップ（２１）は、僅かな指圧によってプッシャー（２７）から引くことができることを特徴とする請求項１に記載のカテーテル。
【請求項５】
誘導手段（１１，４１）は、ガイド（guides）（４１）およびトラック（tracks）（１１）から構成されていることを特徴とする請求項１に記載のカテーテル。
【請求項６】
筐体（４０）は、ピストン棒（２０）が後方へ移動することを制限するためのリム（rim）または突起（４２）を備えていることを特徴とする請求項１に記載のカテーテル。
【請求項７】
連結部（２５）システム（system）は、プラスチック管（２４）の末端に配置でき、上記プラスチック管（２４）は、ピストン棒（２０）の穿孔の延長であることを特徴とする請求項１に記載のカテーテル。
【請求項８】
針（５０）は、その前部に、略円形となりそうなところまで湾曲する壁（５１）を有した半円部分ではない領域を備え、かつ、針（５１）の半円部分から略円形となる部分までの間で隆起および降下（５２）を構成している斜面（inclined planes）を備え、降下する面（５２）は、針（５０）の自由傾斜端（the free inclined end）（５３）にて終わる水平領域（horizontal span）（５４）に続く構成であることを特徴とする請求項１に記載のカテーテル。
【請求項９】
針（５０）は、その前部に、略円形となりそうなところまで湾曲する壁（５１）を有した半円部分ではない領域を備え、かつ、針（５１）の半円部分から略円形となる部分までの間で隆起および降下（５２）を構成している斜面（inclined planes）を備え、その降下する面（５２）は、針（５０）の自由傾斜端の斜面（５６）に一致することを特徴とする請求項１に記載のカテーテル。
【請求項１０】
排管３０の自由端は、該自由端の形を規定する交差面（crossed planes）（３１，３２）を備え、
上面（３１）は、針（５０）の自由傾斜端と同じ傾斜を有し、
別の方向に傾斜している下面（３２）は、排管（３０）が針（５０）よりも先に突出する
【請求項１１】
３つの構成要素（１０，２０，４０）を組立て、
使用する前にパージング（purging）し、
カテーテルの取り扱いを確認し、
所望の箇所（６３）に針（５０）および排管（３０）を挿入し、
針（５０）および排管（３０）が所望の箇所（６３）内部に挿入されているかを確認し、
所望の箇所（６３）に排管（３０）を誘導し、
針（５０）および筐体（４０）を引き抜く
ステップを含むことを特徴とする上記したカテーテルの使用方法。
【請求項１２】
使用者は、カテーテルの側面を親指（７１）で支持し、人差し指（７２）は、操作に沿ってピストン棒（２０）のフラップ（２１）の前部または背面を支持し、他の指は親指（７１）が支持している側とは反対側を支持することを特徴とする請求項１１に記載のカテーテルの使用方法。
【請求項１３】
使用者は、液体を吸引するために、および、生体の所望の箇所（６３）に排管（３０）が位置しているかを確認するために、ピストン棒（２０）におけるプッシャー（２７）のフラップ（２１）を、人差し指によって後方に移動させることを特徴とする請求項１１に記載のカテーテルの使用方法。
【請求項１４】
所望の箇所に排管（３０）を挿入するために、使用者は、ピストン棒（２０）のフラップ（２１）を人差し指（７２）で前方へ押すことによって、筐体（４０）および針（５０）に対して円筒体（１０）および排管（３０）を、誘導手段（１１，４１）を介して移動することを特徴とする請求項１１に記載のカテーテルの使用方法。
【請求項１５】
排管（３０）が生体の所望の箇所（６３）に挿入されると、針（５０）および筐体（４０）は引き抜かれることを特徴とする請求項１１から１４の何れか１項に記載のカテーテルの使用方法。
【請求項１６】
側面にトラック（８４）を有する平面部と、垂直なフラップ（８３）とにより形成されているプッシャー本体を保持するために、いくつかの爪（８５）をその上部に備えた円筒型の本体（８０）および、
円筒体（８０）の前部に構成され、針が内部に挿入された排管（８９）
の２つの集合構造（two assembled bodies）から構成されることを特徴とする導入のための針（８７）および排管（８９）を備えたカテーテル。
【手続補正２】
【補正対象書類名】明細書
【補正対象項目名】０００３
【補正方法】変更
【補正の内容】
【０００３】
従来より、生体および、静脈血管、特に血清に対して液成分を提供するため、危険性を最小限に抑えて針を挿入する技術に関しては、様々なカテーテルおよび、類似する装置が存在する。
ヴィクラ ステリール株式会社（Vicra Sterile, Inc.）の米国特許出願ＵＳ−Ａ−３８２７４３４には、針を備えたカテーテル挿入装置が開示されており、具体的には、カテーテル挿入装置は、その先端付近に針ハブ（a needle hub）を有した細長く中空になった針から構成される針集合体（a needle assembly）を備えている。カテーテル集合体（The catheter assembly）は、血が逆流しないために外側に径が拡張した密閉部分を有する屈曲性のあるカテーテルと、該カテーテルの先端付近に固定された中空のカテーテルハブ（hub）を備えている。針集合体とカテーテル集合体とは互いに、針集合体の内部でカテーテル集合体が相対的に長軸方向へ移動することを防ぐために、解放可能に固定されている。この固定は、針集合体とカテーテル集合体とが相対的に長軸方向へ移動しない場合であっても解放することができる。このカテーテルは、周囲が拡大した遠心端（an enlarged rounded distal tip）を有する細い針金（a wire stylet）を備えている。